(57)【特許請求の範囲】
【請求項１】
共振器（１０；１０Ａ；３４；７４；１５４）と、前記共振器に連結された脱進機と、少なくとも１項の時間情報のディスプレイとを備える、機械式時計ムーブメント（２；２２；３２；７２；１５２）であって、
前記ディスプレイは、カウンタ輪列を介して機械式駆動デバイスによって駆動され、前記カウンタ輪列の動作速度は前記脱進機によって設定され、
少なくとも前記共振器はチャンバ（１４；１４Ａ；３８；８０；１８０）内に格納され、前記チャンバ内は、大気圧に対して減圧されている、機械式時計ムーブメント（２；２２；３２；７２；１５２）において、
前記脱進機は、磁気連結系を介して前記共振器と直接的又は間接的に連結されたガンギ車（３６；７６；１５８）を備える、磁気脱進機であり、前記磁気連結系は、少なくとも周期的に磁気相互作用を呈する少なくとも１つの第１の磁気要素（６２Ａ，６３Ａ，６２Ｂ，６３Ｂ；１０８，１０９，１９６，１９８）及び少なくとも１つの第２の磁気要素（４０；８４；１７０）から形成されること；並びに
前記チャンバは壁（６６；１１２；１８２）を備え、前記壁は、前記第１の磁気要素が前記チャンバの内側となり、前記第２の磁気要素及び前記ガンギ車が前記チャンバの外側となるように、前記第１の磁気要素と前記第２の磁気要素との間に延在し、前記壁は、前記壁を通した前記磁気相互作用が可能となるように配設されること
を特徴とする、機械式時計ムーブメント（２；２２；３２；７２；１５２）。
【請求項２】
前記チャンバの前記壁は、少なくとも前記磁気連結系が配置される領域において非磁性であることを特徴とする、請求項１に記載の機械式時計ムーブメント。
【請求項３】
前記機械式駆動デバイス、前記カウンタ輪列、前記ディスプレイは、前記チャンバの外側に配置されることを特徴とする、請求項１又は２に記載の機械式時計ムーブメント。
【請求項４】
前記共振器（３４）は、前記ガンギ車（３６）に直接連係され、
前記ガンギ車（３６）は前記第２の磁気要素を支承し、前記共振器は前記第１の磁気要素を支承する
ことを特徴とする、請求項３に記載の機械式時計ムーブメント。
【請求項５】
前記共振器（３４）は音叉タイプの共振器であることを特徴とする、請求項４に記載の機械式時計ムーブメント。
【請求項６】
前記共振器は、シャフトを有するテンプを備え、
前記シャフトは、少なくとも部分的に磁性材料から形成され、２つの磁性軸受間の機械的摩擦が実質的に存在しない状態で枢動する
ことを特徴とする、請求項４に記載の機械式時計ムーブメント。
【請求項７】
前記共振器は、天輪及び可撓性ブレードで形成され、
前記可撓性ブレードは前記天輪を前記チャンバに接続し、
前記可撓性ブレードは、所定の周波数で前記共振器が発振できるようにするように配設される
ことを特徴とする、請求項４に記載の機械式時計ムーブメント。
【請求項８】
前記共振器及び前記ガンギ車は、中間部材（７８；１６０）で連係され、
前記中間部材は、前記共振器又は前記ガンギ車と一体ではなく、前記共振器に同期して発振し、
前記中間部材は、前記共振器に直接連係された第１の部分（１１６，１２２；１７０）と、前記第１の部分とは別個の、前記ガンギ車に直接連係された第２の部分（１０８，１０９；１６６，１６７）とを有する
ことを特徴とする、請求項３に記載の機械式時計ムーブメント。
【請求項９】
前記磁気連結系は、前記中間部材の前記第２の部分と前記ガンギ車との間に設けられること；及び
前記中間部材は、前記チャンバの内側に配置されること
を特徴とする、請求項８に記載の機械式時計ムーブメント。
【請求項１０】
前記磁気連結系は、前記中間部材の前記第１の部分と前記共振器との間に設けられること；及び
前記中間部材は、前記チャンバの外側に配置されること
を特徴とする、請求項８に記載の機械式時計ムーブメント。
【請求項１１】
前記中間部材は、保持部材を画定し、
前記磁気連結系は、前記保持部材（１６０）が前記保持部材の２つの安定停止位置間で、前記共振器と同期して発振できるようにするように配設され、
前記保持部材は、前記共振器の前記発振の交互になった各段階の間、前記２つの安定停止位置に交互に保持される
ことを特徴とする、請求項１０に記載の機械式時計ムーブメント。
【請求項１２】
前記機械式時計ムーブメントは、前記チャンバ内において、軸受内で機械的摩擦を発生させて枢動するいずれのホイールも有しないことを特徴とする、請求項８〜１１のいずれか１項に記載の機械式時計ムーブメント。
【請求項１３】
前記共振器は、シャフト（１２６）を有するテンプ（７５）を備え、
前記シャフトは、少なくとも部分的に磁性材料から形成され、２つの磁性軸受（１２８、１３０）間の機械的摩擦が実質的に存在しない状態で枢動する
ことを特徴とする、請求項１２に記載の機械式時計ムーブメント。
【請求項１４】
前記共振器は、天輪（１８４）及び可撓性ブレード（１８６、１８８）で形成され、
前記可撓性ブレードは前記天輪を前記チャンバに接続し、
前記可撓性ブレードは、所定の周波数で前記共振器が発振できるようにするように配設される
ことを特徴とする、請求項１２に記載の機械式時計ムーブメント。
【請求項１５】
前記中間部材（７８）は、シャフト（９８）を有し、
前記シャフトは、少なくとも部分的に磁性材料から形成され、２つの磁性軸受（１１０、１１１）間の機械的摩擦が実質的に存在しない状態で枢動する
ことを特徴とする、請求項１０に従属する請求項１２〜１４のいずれか１項に記載の機械式時計ムーブメント。
【請求項１６】
前記中間部材は、可撓性ブレードを介して前記チャンバに接続され、
前記可撓性ブレードは、前記中間部材が前記共振器と同期して発振できるようにするように配設される
ことを特徴とする、請求項９に従属する請求項１２〜１４のいずれか１項に記載の機械式時計ムーブメント。
【請求項１７】
前記共振器は、ゼンマイ−テンプで形成されること；並びに
前記共振器は、前記ゼンマイ−テンプの発振周波数を調速するための、２つのピン及び磁石（１３８）を有する緩急針（１３４）を備えるデバイスを備え、前記磁石は前記チャンバの前記壁の近傍に配置され、これにより前記磁石は前記チャンバの外側に配置された帯磁ツール（１４０）と磁気連結でき、前記ツールによって、前記緩急針の角度位置を、前記チャンバの外側から変化させることができること
を特徴とする、請求項１〜４、８〜１０のいずれか１項に記載の機械式時計ムーブメント。
【請求項１８】
前記緩急針は、ヒゲ持ちホルダ（１３６）とテンプ受け（１３２）との間に取り付けられた中央領域を有し、
前記テンプ受けは、前記ゼンマイ−テンプに関して前記ヒゲ持ちホルダ及び前記緩急針の上側に配置され、前記チャンバの基部に固定される
ことを特徴とする、請求項１７に記載の機械式時計ムーブメント。
【請求項１９】
前記チャンバ内にガストラップが配設されることを特徴とする、請求項１〜１８のいずれか１項に記載の機械式時計ムーブメント。
【発明の詳細な説明】
【技術分野】
【０００１】
本発明は機械式時計ムーブメントに関し、この機械式時計ムーブメントは、脱進機に連結された共振器で形成された、その動作を調速するためのデバイスを備える。時計製作分野において、脱進機は、共振器の発振を維持するための機構と、この発振を計数することによって、少なくとも１項の時間情報のディスプレイの動作速度を設定するための機構とで形成されるシステムを意味するものとして理解されている。共振器と、その発振を維持するための機構とは、一体として発振子を画定する。発振を維持するための機構及び計数機構は、駆動デバイスが供給するエネルギを分配するための全く同一の機構によって形成され、これは両方の機能を果たす。
【０００２】
より具体的には、本発明は、機械式時計ムーブメントの動作精度を改善するため、特に発振子の等時性を改善して、調速器デバイスによって失われる動力を削減するために、調速器デバイスの品質係数を向上させることに関する。
【背景技術】
【０００３】
共振器に対する空気の摩擦を低減することによって、時計ムーブメントの調速器デバイスの品質係数を向上させることが、既に提案されている。
【０００４】
特に機械式時計ムーブメントのゼンマイ−テンプ内の共振器に対する空気摩擦を低減するために、特許文献１から、このムーブメント全体を気密ケースに組み込み、このケースの内側で圧力を大気圧未満に低減して、このケース内で低圧又は減圧を得ることが知られている。ゼンマイ−テンプの発振周波数の調整を保証するために、特許文献１は、２つのバイメタルブレードの系を提供し、これは、これらのブレードのうちの一方又は他方が、ケースの底部に配設された電気的接触を通して供給される電流によって、又はケースのガラスを通した光線によって加熱された場合に、従来の緩急針に作用する。
【０００５】
電子ムーブメントを有する第２の実施形態では、密封されたチャンバ内に電磁式発振子を配置し、上記チャンバ内にこの発振子と、発振子を維持及び調速するための手段とを格納することが提示される。テンプの発振は、このテンプが支承する磁石に連結された２つのコイルによって維持される。ゼンマイの有効長の調整は、バイメタルブレードが供給する電流によって、上述の実施形態と同様の様式で実施される。特許文献１の図４に見られるように、発振子は、チャンバの壁を通した電気的接続のみによって、電子ムーブメントの残りの部分に接続される。密封チャンバを横切る電気的接続の構成は、いずれの特定の問題も提起しないことが分かるだろう。
【０００６】
従って、１９７１年に公開された特許文献１は、電子ムーブメントの場合には発振子を固有の密封チャンバ内に配置することを教唆し、その一方で機械式ムーブメントの場合には、時計ムーブメント全体を密閉されたケースに組み込み、この腕時計ケース内の圧力を低減することを提示していることに留意されたい。この教唆は時計製作分野において優勢であったと言える。電子ムーブメントに関して提案された実施形態は、特に石英共振器に関して製造が比較的容易であるため、この教唆は電子ムーブメントに関して確立されたものとなっている。対照的に、機械式ムーブメントの場合、様々な重大な問題により、減圧された密封ケース内に各ムーブメントを格納した機械式腕時計を市販用に製作することはできていない。
【０００７】
まず、機械式腕時計は一般に、様々な機能の調整及び／又は操作のための、ケースを貫通した機械的要素を有し、これにより、長期間に亘って比較的安定した減圧を確実に維持できるようなケースの設計が複雑になる。また、ケースを開ける必要があるアフターサービスを行う場合、低圧が生成されるまでこのケース内に再び真空を提供するための手段が利用可能でなければならない。更に、共振器の周波数の調整は大気圧に左右されるため、この調整は製造に関する問題を提起する。ムーブメントを収容して低圧を確立した後で、ケースの底部を介して電流又は光線を供給することによって、バイメタルブレードを用いて緩急針に作用するステップを含む解決策は特に、上記調整の精度に関する問題を提起し、また、各腕時計の個々の調整はムーブメントを収納した後に実施しなければならないため、製造プロセスに関する問題も提起する。
【０００８】
近年、特許文献２は、発振子の品質係数を改善するために減圧された腕時計ケースを有する機械式腕時計のヒゲゼンマイの調整の問題を解決しようとしている。特許文献２は、大気圧における動作と所定の減圧における動作とに関して測定された調整の差分を考慮しながら、上記調整を大気圧で実施することを提案している。しかしながら特許文献２は、所望の減圧を得るために、時計ムーブメントを完全に、真空が提供された腕時計ケース内に配置することを提案しているため、特許文献１のコンセプトの範囲内であることが分かる。従って、腕時計の動作の調整を減圧下で実施するために腕時計内の特定のデバイスを省略できるプロセスを除いて、他の全ての問題が依然として存在する。
【先行技術文献】
【特許文献】
【０００９】
【特許文献１】仏国特許第２０５４５４０号
【特許文献２】国際公開第２０１３／０８４０４０号
【発明の概要】
【発明が解決しようとする課題】
【００１０】
本発明の目的は、共振器に空気が作用することによる振動を低減することによって発振子の品質係数を向上させることが提示されている、機械式ムーブメントを備える腕時計の場合の従来技術の問題を解決することである。更に本発明の目的はまた、保守サービス中、特に機械式ムーブメントのホイールの正確な潤滑を保証するために、特に様々なホイールの軸受に従来設けられたオイルを交換するか、又はある量のこのようなオイルを単純に追加しなければならない場合に、チャンバを密封状態のままとすることができる、機械式腕時計を提供することである。
【課題を解決するための手段】
【００１１】
このために、本発明は、共振器と、この共振器に連結された脱進機と、少なくとも１項の時間情報のディスプレイとを備える機械式時計ムーブメントに関する。このディスプレイは、カウンタ輪列を介して機械式駆動デバイスによって駆動され、上記カウンタ輪列の動作速度は脱進機によって設定される。少なくとも上記共振器は密封チャンバ内に格納され、上記密封チャンバ内は、大気圧に対して減圧されている。本発明によると、上記脱進機は、磁気連結系を介して上記共振器と直接的又は間接的に連結されたガンギ車を備える、磁気脱進機である。この磁気連結系は、少なくとも周期的に磁気相互作用を呈する少なくとも１つの第１の磁気要素及び少なくとも１つの第２の磁気要素から形成される。密封チャンバは壁を備え、これは、第１の磁気要素がチャンバの内側となり、第２の磁気要素及びガンギ車がこのチャンバの外側となるように、第１の磁気要素と第２の磁気要素との間に延在し、上記壁は、この壁を通した上記磁気相互作用が可能となるように配設される。
【００１２】
磁気脱進機は、その要素のうちの少なくとも２つが、接触せずに磁気によって連結された脱進機を意味するものとして理解される。
【００１３】
ある特定の実施形態によると、機械式駆動デバイス、カウンタ輪列、ディスプレイデバイスは、減圧された密封チャンバの外側に配置される。従って、上記機械式ムーブメントの機能の針の設定及び様々な他の制御は、水密ケースを通して、低圧のチャンバ内に格納されていないムーブメントの部品に作用する従来の様式で実施できる。
【００１４】
ある好ましい実施形態によると、上記機械式ムーブメントは、密封チャンバ内の軸受内で機械的摩擦を発生させて枢動するいずれのホイールも有しない。従って機械的摩擦を低減するため、及びオイルの膜との摺動摩擦を得るために、オイルを供給する必要がなくなる。従ってまず、密封チャンバにオイルの交換を行う必要がない。そして、機械式軸受の孔内でホイールが枢動運動することによる塵芥の生成のリスクがない。更にこの特定の特徴により、腕時計が取り得る様々な位置間での動作の差分を最小化できるため、腕時計の動作精度を向上させることができる。最後にこのような実施形態により、共振器を維持するため、及び従って腕時計のパワーリザーブを増大させるために必要な動力を低減することもできる。
【００１５】
本発明の他の特定の特徴については、以下の本発明の詳細な説明において概説する。
【００１６】
これより、本発明について、非限定的な例として挙げられている添付の図面を用いて説明する。
【図面の簡単な説明】
【００１７】
【図１】図１は、本発明による機械式時計ムーブメントの第１の一般的実施形態のブロック図である。
【図２】図２は、本発明による機械式時計ムーブメントの第２の一般的実施形態のブロック図である。
【図３】図３は、本発明による機械式時計ムーブメントの特定の第３の実施形態の部分平面図である。
【図４】図４は、図３の時計ムーブメントの、線IV−IVに沿った部分断面図である。
【図５】図５は、本発明による機械式時計ムーブメントの特定の第４の実施形態の部分平面図である。
【図６】図６は、図５の時計ムーブメントの、線VI−VIに沿った部分断面図である。
【図７】図７は、本発明による機械式時計ムーブメントの特定の第５の実施形態の部分平面図である。
【図８】図８は、図７の時計ムーブメントの、線VIII−VIIIに沿った部分断面図である。
【図９Ａ−９Ｄ】図９Ａ〜９Ｄは、第５の実施形態に設けられる天輪と保持部材との間の磁気連結系の、４つの連続した位置を示す。
【発明を実施するための形態】
【００１８】
図１は、本発明による機械式ムーブメントの第１の一般的実施形態を、ブロック図で概略的に示す。この機械式ムーブメント２は、例えば手巻き又は自動巻きゼンマイである機械式駆動デバイス４と、上記駆動デバイスによって駆動されるカウンタ輪列６と、公知の様式で上記カウンタ輪列によって駆動される、少なくとも１項の時間情報のアナログディスプレイ８とを備える。ムーブメント２はまた、共振器１０と、本発明に従って非接触磁気連結系を備える磁気脱進機１２とによって形成される、ムーブメント２の動作を調速するためのデバイスも備える。本発明によると、共振器１０と、磁気脱進機の一部とは、大気圧に対して減圧されている密封チャンバ１４内に格納される。この第１の一般的な実施形態では、駆動デバイス、カウンタ輪列、ディスプレイデバイスは、チャンバ１４の外側に配置される。このチャンバは壁を備え、この壁は磁気脱進機を通過し、より具体的には磁気脱進機の非接触磁気連結系から、即ち上記非接触磁気連結を生成するこの系の磁気要素間を通過し、その一方で磁気脱進機の機能性、即ち共振器１０の発振の維持と、カウンタ輪列の動作速度を設定するための共振器１０の発振の計数とを保証する。ある特定の特徴によると、チャンバ１４の壁は、少なくとも上記磁気連結系が配置された領域において非磁性である。
【００１９】
本発明による機械式ムーブメントの第２の一般的な実施形態を、図２のブロック図に概略的に示す。この機械式ムーブメント２２はまた、機械式駆動デバイス４と、少なくとも１項の時間情報のアナログディスプレイ８とを備える。この第２の一般的な実施形態は、共振器１０Ａの発振を維持するための磁気機構２４と、この共振器の発振を計数するための磁気機構２６と（これらは一体として時計の脱進機を形成する）が互いから離間している点で、図１の実施形態とは異なる。磁気機構２６はまた、共振器１０Ａとちょうど同じような、ディスプレイデバイスのための駆動機能も有する。この実施形態は、共振器及び磁気脱進機が、駆動デバイスとディスプレイデバイスとの間の動力チェーンに含まれており、従って少なくとも１つのカウンタ輪列の調速のためだけに使用されないため、注目するべきものである。任意に伝動輪列２８は、駆動デバイス４と磁気機構２４との間に配設される。
【００２０】
発振を維持するための磁気機構は、第１の実施形態のもののような磁気脱進機と同様の設計とすることができ、従って例えば、以下で説明する特定の実施形態のうちの１つに対応できることが分かるだろう。計数及び駆動用磁気機構に関しても同様である。特に、これら２つの磁気機構のうちの少なくとも１つは、磁気連結系を介して共振器１０Ａに直接的又は間接的に連結されたガンギ車を備える。この磁気連結系は少なくとも１つの第１の磁気要素及び少なくとも１つの第２の磁気要素から形成され、これらはその間に、少なくとも周期的に磁気相互作用を呈する。本発明によると、密封チャンバ１４が設けられ、これは、第１の磁気要素がチャンバの内側となり、第２の磁気要素及びガンギ車がこのチャンバの外側となるように、第１の磁気要素と第２の磁気要素との間に延在する壁を備える。上記壁は、この壁を通した上記磁気相互作用が可能となるように配設される。
【００２１】
ある好ましい変形例では、２つの磁気機構２４、２６は同一のタイプのものであり、それぞれ１つのホイールを備える。機構２４のホイールは、駆動デバイスから共振器にエネルギを伝達することによって、共振器の発振を維持し、更に共振器が機構２６及びディスプレイデバイス８を駆動できるようにする。機構２６のホイールは、共振器の発振のためのカウンタ輪列を形成するホイールであり、このカウンタ輪列はディスプレイデバイスを駆動する。従ってこの好ましい変形例では、２つの磁気機構２４、２６はそれぞれ、磁気連結系を介して共振器１０Ａに直接的又は間接的に連結されたガンギ車を備え、チャンバ１４Ａは：機構２４の第１の非接触磁気連結系を通って、即ち上記非接触磁気連結を生成するこの第１の系の磁気要素間に延在する、第１の壁と、機構２６の第２の非接触磁気連結系を通って、即ち上記非接触磁気連結を生成するこの第２の系の磁気要素間に延在する、第２の壁とを備える。磁気脱進機を形成する複数の磁気機構は、どのような適合例に関しても反転可能な機能を有することができるため、第１の一般的な実施形態に関して非限定的な例として以下に挙げる具体的構成は、第２の一般的な実施形態の磁気脱進機を形成する２つの機構２４、２６のうちのいずれにも適用できることが、当業者には容易に理解されるだろう。第１の動作態様では、エネルギはガンギ車から共振器へと伝達され、第２の動作態様では、エネルギは共振器からガンギ車へと伝達される。回転方向を画定するために、機構内に不均衡を導入する必要がある場合が多い。従って、例えばアンクルデバイスの爪石及び歯は、従来の脱進機の爪石及び歯とは僅かに異なる。共振器の発振を計数してディスプレイデバイスを駆動するための磁気機構の構成のためにこれを考慮することは、当業者には分かるであろう。
【００２２】
本発明による時計ムーブメントの第３の実施形態について、図３、４を参照して以下に説明する。このムーブメントの調速デバイスに関連する本発明に特有の特徴を明らかにするために、これらの図面では機械式時計ムーブメント３２を部分的にのみ示す。この第３の実施形態、及び以下で説明する他の実施形態は、上述の第１の一般的な実施形態の特定の構成である。駆動デバイスに対する及びカウンタ輪列に対するガンギ車の機械的連結のために使用されるホイール又はカナを除いて、この駆動デバイス及びこのカウンタ輪列並びにディスプレイデバイスは、図示されず、また詳細に説明もされない。というのはこれらは当業者には公知であるためである。実際のところ、機械式ムーブメントのこれらの部品、及び一般にこれらの部品に関連するデバイス、特に巻き上げデバイス、時間情報を補正するためのデバイス、例えばクロノグラフのための他の制御デバイスは、標準的なものであるため、本発明は注目するべきものである。共振器の発振周波数に関して配設されるカウンタ輪列を選択することは、当業者には当然分かるであろうし、また当業者は、共振器と脱進機の一部とが密封チャンバ内に格納された本発明による調速デバイスを組み込んだ時計ムーブメントの様々な部品の複数の空間的配置を容易に設計できるだろう。
【００２３】
時計ムーブメント３２の動作を調速するためのデバイスは、共振器３４と、この共振器に直接磁気連結されたガンギ車３６とを備える。この共振器は、大気圧に対して減圧されている密封チャンバ３８内に格納され、その一方でガンギ車はこのチャンバの外側に設けられる。上記減圧は、１ミリバール（１ｍｂａｒ）より低いか又はこれに略等しいことが好ましい。ある好ましい変形例では、このチャンバを密封した後に、ゲッタとも呼ばれるガストラップをこのチャンバ内に導入して、残留ガスを吸収することが提示される。このようなデバイスの結果として、チャンバの内側の圧力を更に低下させることができ、このチャンバに漏れがないかどうか、又はある一定の期間後にその気密性が失われないかどうかを決定することもできる。ガンギ車は、ダブルボール軸受４３、４４に設置されたシャフト４２の第１の端部に固定され、上記ダブルボール軸受４３、４４は、このシャフトを確実に案内し、所定の回転軸の周りでホイール３６を安定して回転させることができる。このダブルボール軸受は、少なくとも１つのねじによって地板４８に強固に固定されたバー４６に設置され、チャンバ３８は上記地板４８の表面に配設される。小型ホイール５０がシャフト４２の第２の端部に固定される。この小型ホイールは、調速デバイスを時計ムーブメントの香箱及びカウンタ輪列と連結するためのものである。この小型ホイールは一般に、香箱とディスプレイとの間の動力チェーンのホイールと噛合するカナを形成することに留意されたい。ガンギ車３６は、このホイールの回転軸に対して平行な磁化方向を有する複数の磁石４０を支承する。この複数の磁石は、このホイールと共振器との間の磁気連結系の第１の部分の磁気要素を形成し、この系は磁気脱進機を形成する。
【００２４】
共振器３４は、中央が基部５３上に設置され、２つの分岐の端部をそれぞれ２つの小型バー５４、５６で支承された、音叉５２で形成される。第１の端部では、各小型バーは、それぞれ２つの広範囲の磁石６２Ａ、６３Ａ及び６２Ｂ、６３Ｂを支承する、小型プレート５８Ａ、５８Ｂを備え、上記広範囲の磁石６２Ａ、６３Ａ及び６２Ｂ、６３Ｂは、磁気脱進機を形成する磁気連結系の第２の部分の磁気要素を形成する。これらの磁石はまた、ホイール３６の回転軸に対して平行な磁性方向を有する。各小型バーは更に、それぞれ共振器３４を平衡化し、場合によっては磁気連結系の磁力を補償するための、平衡錘６０Ａ、６０Ｂを備える。共振器３４はチャンバ３８内に配設され、このチャンバ３８は非磁性壁６６、特に小型石英プレートを備え、これはガンギ車の磁石４０と、共振器に固定された磁石６２Ａ、６３Ａ、６２Ｂ、６３Ｂとの間に延在する。この小型プレート６６の厚さは可能な限り小さく、これにより、磁石４０と共振器に支承された磁石との間の距離も可能な限り小さくなり、これにより、磁気脱進機の磁気連結系の第１の部分と第２の部分との間の十分に強力な磁気相互作用が保証される。チャンバ３８は、共振器の基部５３が固定された小型プレート６７と、小型プレート６７と単一の部品として形成されるか又は小型プレート６７上に封止された側壁６８と、側壁に公知の手段で接着又は溶接されたカバーを画定する壁６６とによって形成される。このチャンバ内の真空は、当業者に公知の手段によって、特に減圧されたチャンバをカバーが閉鎖することによって、又はチャンバの側壁に孔を設けた後これを密封することによって、得られる。チャンバに関して異なる複数の変形例を提供できることが分かるだろう。特に壁６６は、ホイール３６上に重なった領域においてのみ、厚さを小さくすることができる。更に、チャンバを強化するために、チャンバ内において、基部６７とカバー６６との間、特に音叉の２つの分岐の間にクロスバーを配設できる。
【００２５】
この第３の実施形態の磁気脱進機の動作については、ここでは詳細には説明しない。当業者は、このような磁気脱進機の詳細な説明及び改良された実施形態を、欧州特許出願第１４１７６８１６号、又はこの欧州特許の優先権を主張する特許出願中に発見できる。一般にトルクは、カナホイール５０を介して駆動デバイスによってガンギ車３６に供給され、これによってこの脱進機が回転駆動される。磁石は、ホイール３６の回転が共振器を刺激して、音叉の分岐が振動し始め、小型プレート５８Ａ、６８Ｂが発振し始めるように構成及び配設される。ある変形例では、磁石間の磁気相互作用が磁気反発としてもたらされ、これにより磁気連結系が周期的に磁気ポテンシャルエネルギを蓄積し、磁気連結系はこの磁気ポテンシャルエネルギを、磁石４０が帯磁領域６２Ａ、６３Ａ、６２Ｂ又は６３Ｂのうちの１つから磁石４０が径方向に出る各期間に、共振器の少なくとも大部分に対して戻し、ここでこれらの帯磁領域は、略ガンギ車の径方向における前後運動を行う。このようにして、共振器の発振が維持される。更に、所定のトルク範囲において、磁気連結系は、共振器の発振周波数とガンギ車の角速度との間の同期を保証する。ある主要な変形例では、ホイール３６が、２つの隣接する磁石４０の中心間の角度距離によって画定される角度区間の回転を実行する間に、小型プレート５８Ａ、５８Ｂはそれぞれある発振期間を実行する。磁気連結系のある変形例では、磁石４０又は共振器が支承する磁石は、強磁性材料製の要素で置換できることに留意されたい。別の変形例では、磁石は磁気引力を形成するよう配設される。
【００２６】
ある特定の変形例では、別のタイプの共振器が提供され、この共振器はシャフトを有するテンプを備え、このシャフトは、少なくとも部分的に磁性材料で形成され、２つの磁性軸受間の機械的摩擦が実質的に存在しない状態で枢動する。これより、このタイプの構成について説明する。別の特定の変形例では、共振器は天輪及び可撓性ブレードで形成され、上記可撓性ブレードはこの天輪をチャンバに接続し、ここでこれらの可撓性ブレードは、所定の周波数でテンプが発振できるようにするように配設される。このタイプの構成についても以下で説明する。
【００２７】
これより、本発明による時計ムーブメントの第４の実施形態について、図５、６を参照して説明する。機械式時計ムーブメント７２は、共振器７４及びガンギ車７６を備え、これらは中間部材７８で連結され、中間部材７８は共振器又はガンギ車と一体ではなく、共振器に同期して発振する。一般に中間部材は、共振器に直接連結された第１の部分と、第１の部分とは別個の、ガンギ車に直接連結された第２の部分とを有する。この第４の実施形態では、中間部材の第２の部分とガンギ車との間に磁気脱進機の磁気連結系が設けられる。共振器７４及び中間部材７８は、密封チャンバの内側に配置される。図５、６に示す変形例では、共振器は従来のゼンマイ−テンプで形成されるが、本発明に適合された特定の調整デバイスを有し、中間部材は双安定性保持部材を画定する。
【００２８】
ガンギ車７６は、複数の帯磁領域８４を画定する周縁帯磁リングを備える。この複数の帯磁領域は、ある磁性角度区間を画定し、時計ムーブメント７２の磁気脱進機の磁気連結系の第１の部分を形成する。ホイール７６はシャフト８２上に強固に設置され、シャフト８２の２つの端部はそれぞれ、ダブルボール軸受８８、９２に挿入され、これらダブルボール軸受８８、９２はそれぞれ地板９０、小型プレート９４に配設され、この小型プレート９４は基部９６の高さにおいてチャンバ８０から突出する。ガンギカナ８６もまたシャフト８２上に強固に設置され、このカナは、駆動デバイスと時計ムーブメントのカウンタ輪列とを機械的に連結する役割を果たす。中間部材７８は、スイスレバー脱進機のアンクルと動作が同様のアンクルを形成するが、アンクルとガンギ車との間の連結はここでは磁気によるものである。アンクルはシャフト９８上に設置され、一方の側部に、フォーク１１６及び剣先１２２で終端するレバー１００を備え、もう一方の側部に、各端部において２つの磁石１０８、１０９を支承する２つのアーム１０４、１０６を備え、これら２つの磁石は磁気脱進機の磁気連結系の第２の部分を形成する。アンクルは、２つのピン１０１、１０２によって画定される２つの安定位置の間で発振する。
【００２９】
脱進機は磁気脱進機であり、アンクルは、帯磁環状構造で形成されたガンギ車に磁気的に連結されているが、この実施形態は、アンクル７８と共振器のテンプ７５との間の機械的連結が、従来のスイスレバー脱進機と同一である点で注目するべきものである。従ってテンプはそのシャフト１２６上に、振り石とも呼ばれるピン１１８が取り付けられた大型プレート１２０と、剣先１２２に凹部を有する小型プレートとを支承する。この機械的連結系により、ゼンマイ−テンプの発振を維持でき、またアンクルをその２つの安定位置間での前後運動で断続的に駆動でき、この運動は、ゼンマイ−テンプの発振と動機した発振を画定する。アンクルの発振運動により、磁石１０８、１０９を、ガンギ車７６の帯磁領域８４と交互に磁気相互作用させることができる。各帯磁領域８４は好ましくは、角度に応じて増大する磁束を形成する帯磁材料で形成された角度付き磁性ランプを備え、これは図面において、符号「−」と、これに続く符号「＋」とによって表される。この磁性ランプの後に設けられるのは、符号「＋＋＋」で表される磁気ポテンシャルバリアであり、これは磁気連結系によるホイール７６の回転を角度に関して停止させる働きをする。従ってこのポテンシャルバリアは、磁気停止部材を形成する。これは、ガンギ車上で得られる連結が、駆動デバイスによってガンギ車に供給される連結よりも強くなることを保証するために十分な、極めて高い強度の磁場を供給する磁石によって生成される。ある変形例では、各領域８４は、ある磁石から次の磁石へと時計回りに強度が上昇する磁性を有する、３つの隣接する磁石によって形成できる。別の変形例では、１つの領域に対して２つの磁石のみが存在し、符号「−」で表される各領域の第１の部分は帯磁材料を有しない。
【００３０】
図５に示す構成におけるこの磁気脱進機の動作に関して、アーム１０４が支承する磁石１０８は、環状磁気ストリップの領域８４の磁気バリアに当接し、他のアームが支承する磁石１０９はこの環状磁性ストリップの外側にあり、即ち環状磁性ストリップと重ならず、環状磁性ストリップと実質的に相互作用しない。そしてテンプ７５が、交互になっているシーケンスの次の段階に移行し、反時計回りに回転すると、ピンはフォーク１１６に入り、アンクルをピン１０１の方向に駆動する（図６に示す状況）。共振器によるこのようなアンクルの駆動により、磁石１０８は環状磁性ストリップを離れ、その一方で磁石１０９はこのストリップの上側の、全く又は殆ど帯磁していない領域８４の一部に入る。これによりアンクルの運動方向にトルクが生成され、続いてフォーク１１６は共振器にパルスを供給して、共振器の発振を維持する。次にホイール７６は、磁石１０９が、磁石１０９が入った領域８４の磁気ポテンシャルバリアに当接するまで回転する。テンプの交互になったシーケンスの次の段階の間、この現象は繰り返され、２つの磁石１０８、１０９の役割を反転させる。よって、ホイール７６はある角速度で、従ってゼンマイ−テンプ７４の発振周波数と同期した周波数で、断続的に回転することが理解される。上述の磁気脱進機の運動学的動作は、慣用のスイスレバー脱進機のものと同様であることに留意されたい。当業者は、このような磁気脱進機の更なる説明及び特定の実施形態を、欧州特許出願第１３１９９４２７号、又はこの欧州特許の優先権を主張する特許出願中に発見できる。
【００３１】
ゼンマイ−テンプ及びアンクルは、大気圧に対して低圧となったチャンバ８０に格納される。このチャンバは、例えば透明水晶製の非磁性プレート１１２で閉鎖される。ガンギ車とアンクル７８との間の重複領域において、プレートは薄くなり、アンクルの磁石とガンギ車の帯磁領域との間の最大距離まで削減され、本発明によるとこのプレートはアンクルの磁石とガンギ車の帯磁領域との間を通過して、密封チャンバの壁を形成する。図示した変形例では、プレート１１２はケースにねじ留めされたカバーを画定し、このケース内には、共振器と、共振器の周波数を制御するためのデバイスと、アンクルとが、カバーの各突出部１１４、１４５とケースとを強固に接続するねじを用いて配設される。気密閉鎖を保証するために密閉ストリップ１４６が設けられる。このケースは例えば真鍮製である。ある変形例では、チャンバの全ての壁は透明である。
【００３２】
ゼンマイ−テンプの発振周波数を調節するために、あるデバイスが設けられ、このデバイスは、ヒゲ持ちホルダ１３６上に設置された緩急針１３４を有する従来のデバイスと同様であるものの、従来の構成とは対照的に、テンプ受け１３２がゼンマイ−テンプに関してこの緩急針及びヒゲ持ちホルダ１３６の上側に配設されている点、並びに緩急針がヒゲ持ちホルダの上側に配設されている（これにより従来の構成より長いピンが必要となる）点で、本発明に特有のものである。テンプ受け上へのこれらの部材の組み付けは、従来の構成と同様の方法で達成され、テンプ受けは特に少なくとも１つのねじを用いてチャンバ８０の基部に固定できる。チャンバ８０が閉鎖され、真空が少なくとも部分的に生成された場合に、ゼンマイの有効長を調整できるようにするために、緩急針はその一方の端部に磁石１３８を支承する。緩急針の角度位置は、磁石１３８を惹きつけるために配設された磁石を端部に有する少なくとも１つのツール１４０による磁気連結によって変化させることができる。特に基部９６が透明でない場合に、この動作を促進するために、チャンバの基部９６に溝が設けられる。共振器の発振周波数を調節することも代替案として考えられることに留意されたい。例えば、初期状態ではあまりに高い慣性を有し、その後この慣性を、レーザの波長に対して透過性となるように設けられたチャンバの壁を通るレーザビームを用いた材料除去によって低減する、テンプを設けることができる。しかしながら、この簡単な解決策は、最初の調整を実施してしまうと、発振周波数を再び僅かに低下させることができないとう欠点を有する。
【００３３】
ある好ましい変形例によると、チャンバ８０内には、軸受内で機械的摩擦を発生させて枢動するいずれのホイールも設けられていない。従ってこのチャンバ内における潤滑の必要を回避できる。図示した変形例では、テンプ７５のシャフト１６は少なくとも部分的に磁性材料から作製され、概略的に図示されている２つの磁性軸受１２８、１３０の間に機械的摩擦を略発生させることなく枢動する。更に中間部材７８は、少なくとも部分的に磁性材料から作製されたシャフト９８を有し、これもまた概略的に図示されている２つの磁性軸受１１０、１１１の間に機械的摩擦を略発生させることなく枢動する。当業者は、時計製作分野において採用できる磁性軸受に関連する複数の文献を入手可能である。特に国際公開第ＷＯ２０１２／０６２５２４号、及びこの出願に添付のサーチレポートに引用された文献を挙げることができる。磁性軸受１１０、１３０は、小型プレート１１２に設けられた孔内に配設され、気密閉鎖を確実なものとすることに留意されたい。しかしながらある変形例では、これらの磁性軸受を、磁性軸受１１０、１２８と同様に、プレート１１２の内面上に配設できる。この場合磁石は細長形状であるか、又はアンクルの各アームが、磁石１０８、１０９をより下の高さに配設することを可能にする角度付きセクション若しくは肘部を有する。このような構成により、小型プレート１１２の側部にあるシャフト９８、１２６を有利に延長することもできる。
【００３４】
代替実施形態によると、共振器は、天輪と、この天輪をチャンバに接続する可撓性ブレードとによって形成され、これらの可撓性ブレードは、テンプが幾何学的回転軸の周りで所定の周波数で発振できるようにするよう配設される。この第３の実施形態に適合させることができる構成の例を以下で説明する。更に、中間部材に関する代替実施形態では、中間部材は可撓性ブレードによってチャンバに接続され、これらの可撓性ブレードは、この中間部材が共振器と同期して発振できるように配設される。これらの代替解決策の結果として、ホイールがチャンバ内に枢動シャフトを有しないようにすることができる。これにより、いずれの摩耗又は潤滑オイルの経年劣化が防止され、従って時計ムーブメントの保守サービス中に密封チャンバを開ける必要がなくなる。磁性軸受に関する製造及び組み立て許容誤差の問題も回避される。
【００３５】
図５、６に示す第４の実施形態の変形例は、時計ムーブメント７２が、従来の時計製作の構成部品及び要素を概ね組み込む一方で、アンクルとガンギ車との間の接触がない磁気連結系を使用することにより、密封チャンバ８０の壁１１２を脱進機の上記磁気連結系の第１の部分と第２の部分との間に配置できる点で、注目するべきものである。
【００３６】
本発明による時計ムーブメントの第５の実施形態について、図７、８、９Ａ〜９Ｄを参照して以下に説明する。機械式時計ムーブメント１５２は、これらの図面に示す共振器１５４及び磁気脱進機１５６を備える。第４の実施形態においてと同様に、この磁気脱進機はガンギ車１５８を備え、このガンギ車１５８は、双安定性保持部材を画定するアンクルで形成された中間部材１６０によって共振器に連結される。対照的に、この第５の実施形態は、磁気脱進機の磁気連結系が、アンクル１６０と共振器との間に設けられる点、及びこれに伴い、このアンクルが、共振器を内包する密封されたチャンバ１８０の外側に配置される点で、第４の実施形態とは異なる。従ってガンギ車及びアンクルは２つのシャフトそれぞれの上に設置され、これらシャフトは、地板１７６と、ケース１８１と一体として形成されたバー１７８との間の標準的な機械式軸受において枢動する。ある変形例では、バー１７８はチャンバとは別個の要素である。別の変形例では、アンクルは、このアンクル上の摩擦を低減するための磁性軸受間で枢動する磁性シャフトを有する。ガンギカナ１５９は、従来の様式でガンギ車のシャフト上に設置される。
【００３７】
共振器は、天輪１８４と、この天輪に固定された可撓性ブレード１８６、１８８とによって形成され、これらの可撓性ブレードは、テンプが主に幾何学的軸１９０の周りで所定の周波数で発振できるようにするよう配設される。図示した変形例では、これらの可撓性ブレードは交差した形態で配設され、即ちこれらは９０°だけ変移されている。各可撓性ブレードはその第１の端部においてケース１８１の基部に固定されて密封チャンバ１８０を形成し、上記第１の端部とは直径方向に対向している第２の端部において、天輪１８４に固定される。従ってテンプは設けられず、チャンバ１８０内にはいずれの軸受も設けられない。このような共振器の発振周波数の調節は、可撓性ブレードについて、レーザビームを用いた熱処理又は材料除去によって達成でき、又は天輪の慣性に関して、これもまたレーザを用いた材料除去によって達成できる。チャンバを密閉して気密性とし、減圧した後で、少なくとも１つの最終的な調節を実施できることに留意されたい。
【００３８】
上述の実施形態の場合と同様に、この第５の実施形態は、上記第５の実施形態が、従来のスイスレバー脱進機と部分的に同一の磁気脱進機を提案している点、及び本発明の実装を可能とする磁気連結系を、この磁気脱進機がスイスレバー脱進機と同様の運動学的動作を有するように配設する点で、注目するべきものである。従ってガンギ車は従来のものであり、このガンギ車に機械的に連結されたそれぞれ２つの爪石１６６、１６７を支承するアンクルの２つのアーム１６２、１６４もまた従来のものである。図示した変形例では、アンクルと天輪１８４との間の磁気連結系は、第４の実施形態に関連して上述したように、テンプによってアンクル１６０を制御でき、かつスイスレバー脱進機と同様に、このテンプの発振を維持するためのパルスを生成できるよう、設計されている。これに関して、アンクルはレバー１６８を備え、これはその端部において、チャンバ１８０の外側に、このチャンバの非磁性壁に対面して配置された、楕円形の磁石１７０を支承する。この楕円形の磁石は、磁気連結系の第１の部分を形成する。これはアンクルの２つの機能を果たし、従来のアンクルのフォーク及び剣先を置換する。天輪１８４はその中心に、４つのアーム１９４によって天輪に接続されたディスク１９２を有し、これはチャンバの内側に配置された磁気連結系の第２の部分を支承する。この第２の部分は、従来の脱進機の大型プレートに対応するディスク１９２の孔に挿入される、アンクルの磁石に対する牽引のために配設された磁石で形成された、磁性ピン１９８と、アンクルのマグネットに対する反発のために配設され、スロット２００を備える、中央帯磁ディスク１９６とを備える。この中央帯磁ディスクは、従来の脱進機の小型プレートを置換する。
【００３９】
磁気連結系の動作を図９Ａ〜９Ｄに示す。この系は、アンクルがこのアンクルの２つの安定停止位置の間で共振器と同期して発振できるように配設され、上記発振は、共振器の発振の交互になった各段階の間、上記２つの安定停止位置に交互に維持される。これら２つの安定停止位置は、レバー１６８の角度移動範囲を制限する２つのピン１７２、１７４によって画定され、このレバーは、帯磁ディスク１９６の反発の影響下で、テンプの交互になった各段階のある一定の期間に亘って、上記２つのピン１７２、１７４に対して交互に静止する。図９Ａは、アンクルが瞬間的に停止し、テンプがその最大振幅に近づく、第１の安定位置におけるアンクルを示す。磁性ピン１９８と、中央帯磁ディスク１９６のスロット２００とは、アンクルのレバー１６８に固定された楕円形の磁石１７０を有する連結領域の角度的に外側に配置される。レバーは、磁気反発するように設置された帯磁ディスクと帯磁ピンとの間の磁気相互作用の結果として得られる磁力によって、ピン７４に対して保持される。天輪が、図９Ａ〜９Ｄにおいて回転軸９０から下向きに延在する垂直な不完全な軸に対応するその静止位置の方向に回転する際、帯磁ピンはまず磁石１７０によって、スロット２００がこの磁石１７０に対面して配置される、図９Ｂに示す位置まで牽引される。有効な磁気連結の第１の期間において、テンプは略図９Ｃに示す位置まで回転し、これによって磁石１７０が駆動され、磁石１７０は部分的にスロットに入る。これにより、ガンギ車の歯がそれに対して静止するアンクルのプレートが分離するまでアンクルが回転する。続いてこの歯は従来の様式でアンクルにトルクを印加し、従ってガンギ車によって磁石１７０が回転駆動される。次に、有効な磁気連結の第２の期間において、磁石１７０は、この磁石と帯磁ピンとの間の相互作用の駆動要素となる。これによりテンプの発振を維持するためのパルスを供給でき、テンプは、図９Ｄに略対応する最大振幅へとその回転を続行し、その一方でレバー１６８は剣先１７２に当接した状態で保持される。共振器１５４の発振の交互になった各段階において、同一の相互作用が発生する。
【図１】
0006285556.tif 000002
【図２】
0006285556.tif 000003
【図３】
0006285556.tif 000004
【図４】
0006285556.tif 000005
【図５】
0006285556.tif 000006
【図６】
0006285556.tif 000007
【図７】
0006285556.tif 000008
【図８】
0006285556.tif 000009
【図９Ａ】
0006285556.tif 000010
【図９Ｂ】
0006285556.tif 000011
【図９Ｃ】
0006285556.tif 000012
【図９Ｄ】
0006285556.tif 000013